(57)【要約】  本発明は、定置型ガスタービン用のタービン翼（１０）に関している。ここでは、ガスタービンが中空の翼ブレード（２４）を有しており、この翼ブレードの内部に圧力側壁（２６）および吸入側壁（２８）を支持する少なくとも１つのリブ（３６）が設けられている。タービン翼の耐用期間を延長するために、外側の第１の丸み付け部（３４）の高さで、前記圧力側壁および前記吸入側壁とプラットフォーム表面（２０）とのあいだに前記リブを貫通する開口部（４０）が壁の近くに設けられている。この開口部により、移行領域の材料蓄積が回避され、大きな温度勾配も生じない。
2011513623.tif 000002
【特許請求の範囲】
【請求項１】
タービン翼（１０）が固定領域と該固定領域に接続されるプラットフォーム領域（１６）とを有しており、
前記プラットフォーム領域はプラットフォーム表面（２０）を有するプラットフォーム（１８）を含み、
前記プラットフォーム表面には圧力側壁（２６）および吸入側壁（２８）を備えたブレード（２４）が配置されており、該ブレードには断面で見て所定のプロフィルが付けられており、
前記圧力側壁および前記吸入側壁の高温ガスに曝される表面はそれぞれ外側の第１の丸み付け部（３４）を通して前記プラットフォーム表面へ移行しており、
前記ブレードに前記プラットフォーム領域まで延在する少なくとも１つの中空室が設けられており、該中空室内に前記圧力側壁と前記吸入側壁とを接続する少なくとも１つのリブ（３６）が設けられており、該リブは前記ブレードの長手方向（１２）に沿って延在して前記中空室を分割している、
定置型ガスタービン用のタービン翼において、
前記リブでは前記第１の丸み付け部の高さに該リブを貫通する開口部（４０）が設けられており、該開口部は壁の近くに配置されている
ことを特徴とする定置型ガスタービン用のタービン翼。
【請求項２】
前記開口部は前記吸入側壁および／または前記圧力側壁の内側（４２，４３）に広がる側壁平面（４４）に部分的に接触しているかまたは該側壁平面を部分的にカットしている、請求項１記載の定置型ガスタービン用のタービン翼。
【請求項３】
前記開口部は円形または楕円形である、請求項１または２記載の定置型ガスタービン用のタービン翼。
【請求項４】
前記プラットフォーム側のリブ端部の前記圧力側壁の内側（４２）での長さは前記吸入側壁の内側（４３）での長さとは異なる、請求項１記載の定置型ガスタービン用のタービン翼。
【請求項５】
前記プラットフォーム表面（３０）は仮想のプラットフォーム平面（２２）のうち前記中空室を通って延在する部分であり、前記プラットフォーム側の前記リブ端部が圧力側で前記プラットフォーム平面の一方側に、吸入側で前記プラットフォーム平面の他方側に位置する、請求項４記載の定置型ガスタービン用のタービン翼。
【請求項６】
前記リブは第２の丸み付け部（４１）を介して前記吸入側壁の内側および／または前記圧力側壁の内側へ移行しており、前記第２の丸み付け部の前記プラットフォームの高さでの半径（Ｒ１）と前記ブレードの中程の高さでの半径（Ｒ２）とは異なる、請求項１から５までのいずれか１項記載の定置型ガスタービン用のタービン翼。
【請求項７】
前記第２の丸み付け部は種々異なる半径で切り欠かれているがその端部は滑らかに移行している、請求項６記載の定置型ガスタービン用のタービン翼。
【請求項８】
前記ブレードおよび前記プラットフォームが一体に注入成形されている、請求項１から７までのいずれか１項記載の定置型ガスタービン用のタービン翼。
【発明の詳細な説明】
【技術分野】
【０００１】
本発明は、タービン翼が固定領域と該固定領域に接続されるプラットフォーム領域とを有しており、前記プラットフォーム領域はプラットフォーム表面を有するプラットフォームを含み、前記プラットフォーム表面には圧力側壁および吸入側壁を備えたブレードが配置されており、該ブレードには断面で見て所定の輪郭が付けられており、前記圧力側壁および前記吸入側壁の高温ガスに曝される表面はそれぞれ外側の第１の丸み付け部を通して前記プラットフォーム表面へ移行しており、前記ブレードに前記プラットフォーム領域まで延在する少なくとも１つの中空室が設けられており、該中空室内に前記圧力側壁と前記吸入側壁とを接続する少なくとも１つのリブが設けられており、該リブは前記ブレードの長手方向に沿って延在して前記中空室を分割している、定置型ガスタービン用のタービン翼に関する。
【０００２】
従来技術のタービン翼、すなわち、ふつうリブによって分割された中空室を備えたブレードを有するタービン翼は以前から公知である。リブは、吸入側壁から圧力側壁へ、ブレードの長手方向に沿って、すなわち、プラットフォームから翼頂の方向へ延在している。注入成形されるタービン翼はブレードからプラットフォーム表面への移行領域を有しており、この移行領域は凹状湾曲の丸み付け部によって、側壁である吸入側壁および圧力側壁を支持している。ここで、移行領域には材料蓄積部が存在しており、そのためにブレードの剛性が急激に変化する。ブレードのプラットフォーム領域は中央領域または翼頂領域よりも剛性が高い。こうした剛性の急激な変化のために動作中に大きな温度勾配が生じ、高い熱応力がかかってタービン翼の耐用期間が制限されてしまう。
【０００３】
こうしたタービン翼を利用するガスタービンで動作中に破片が飛んで連鎖障害が起こるのを回避するために、タービン翼はあらかじめ定められた最大耐用期間に達すると交換される。
【０００４】
また、従来技術からは、剛性の急激な変化が生じる領域に、材料蓄積のない領域に網けられる熱減衰層よりも厚い熱減衰層を被着し、耐用期間を少なくとも部分的に延長することが知られている。これにより温度勾配を小さくすることができる。
【０００５】
そのほか、欧州公開第１４２０１４２号明細書から、高温ガスの流入するフロントエッジを衝突捕集冷却法（インピンジメントクーリング）によって冷却するガスタービン翼が公知である。ここでは、必要な空冷開口部は、吸入側壁および圧力側壁のあいだのブレードを支持するリブ内に配置されている。当該の空冷開口部はブレードを超える高さに均等に分散して配置されており、また、吸入側壁と圧力側壁とのあいだの中央にも配置されている。これによりフロントエッジの均等な冷却が保証される。
【０００６】
本発明の課題は、耐用期間の長い定置型ガスタービン用のタービン翼を提供することである。
【０００７】
この課題は、請求項１記載の特徴、すなわち、ブレードに配置された少なくとも１つのリブが外側の第１の丸み付け部の高さに当該のリブを貫通する開口部を有しており、当該の開口部が壁の近くに配置されていることによって解決される。
【図面の簡単な説明】
【０００８】
【図１】本発明のブレードを備えたタービン翼の斜視図である。
【図２】図１のタービン翼のＺで囲んだ部分の第１の実施例の詳細図である。
【図３】図１のタービン翼のＺで囲んだ部分の第２の実施例の詳細図である。
【０００９】
本発明において、"壁の近くに"とは、開口部の位置が圧力側壁および吸入側壁の内側で外に寄っていることを意味している。これにより、外側の第１の丸み付け部での材料蓄積は低減される。こうした単純な構造手段によって剛性の急激な変化が補償され、材料蓄積による温度勾配が緩和される。ただし、場合によっては、開口部を設けたことでタービン翼の空冷システムへの影響が生じたり開口部の周囲応力が増大したりすることに注意が必要である。また、変形耐性を有する期間についても同じことが相当する。これは、リブの断面積が低減されることにより重量が低下して固有振動数が変化するためである。相応に、適切に配向された楕円形の開口部を設けると有利である。また、リブがプラットフォーム領域、ひいては翼脚領域または固定領域まで延長されると有利である。
【００１０】
本発明の有利な実施形態では、リブと側壁とのあいだに第２の丸み付け部が配置されて適合化が行われ、機械的負荷が低減される。もちろん、本発明の手段を組み合わせて、壁近くの開口部を用いることによる変化を補償し、全体としてタービン翼の耐用期間を延長することができる。本発明では、全体として、材料蓄積部の負荷が低減され、耐用期間が増大される。
【００１１】
リブを貫通する開口部を丸み付け部の高さで壁近くに設けるという本発明の手段は簡単に実現可能であり、翼脚からリブに接触しうるかぎり、既に動作しているタービン翼に後から設けることもできる。また、新たな部品を製造する際には、ブレードおよびプラットフォームを一体に注入成形し、中空室の製造のために注入成形装置で使用される成形コアに開口部に対する孔を設けることによって、開口部を簡単に形成できる。これは、当該の孔を成形コアの安定化のために用いることができ、第１の丸み付け部の高さの壁近くに位置しない別の孔（いわゆるクロスオーバーホール）を省略できるため、特に有利である。
【００１２】
本発明の有利な実施形態および実施態様は従属請求項に示されている。
【００１３】
リブを貫通する開口部は、吸入側壁と圧力側壁とのあいだの外寄りに配置される。また、開口部は、吸入側壁および／または圧力側壁の内側に広がる側壁平面に接触しているかまたはこれをカットしていてもよい。
【００１４】
有利には、開口部は円形または楕円形である。こうした開口部は、タービン翼が主として一体に注入成形される場合に、特に簡単に製造可能である。その場合、成形コアは相応の位置に孔を有するだけでよい。
【００１５】
本発明の別の有利な実施形態として、プラットフォーム側のリブ端部のうち圧力側壁の内側部分の長さを吸入側壁の内側部分の長さと異ならせることにより、タービン翼の耐用期間を延長することができる。
【００１６】
リブを貫通する壁近くの開口部に代えて、切欠を設けてもよい。つまり、開口部はリブ材料によって完全に包囲されていなくてもよい。このようにして構成されたタービン翼により、移行領域での材料蓄積を局所的に低減することができる。当該の実施形態のタービン翼は中空室を通って延在する仮想のプラットフォーム平面の一部であるプラットフォーム表面を有し、プラットフォーム側のリブ端部が圧力側で当該のプラットフォーム平面の一方側に位置し、吸入側で当該のプラットフォーム平面の他方側に位置する。
【００１７】
本発明のさらなる特徴および利点を図示の実施例に則して詳細に説明する。これらの特徴は単独でも任意に組み合わせても本発明の対象となりうる。
【００１８】
図１には、定置型ガスタービン用のタービン翼１０の斜視図が示されている。図１のタービン翼１０はロータ翼として構成されているが、本発明は定置型ガスタービンのガイドベーンにも適用できる。注入成形された一体型のタービン翼１０は、長手方向１２に沿って、プラットフォーム領域１６に接続される翼脚１４を有する。プラットフォーム領域１６はプラットフォーム表面２０を有するプラットフォーム１８を含む。プラットフォーム表面２０はほぼ平坦であり、仮想のプラットフォーム平面２２の一部である。プラットフォーム表面２０には、断面にプロフィルを持ったブレード２４が配置されている。ブレード２４は圧力側壁２６と吸入側壁２８とによって形成されており、これらの側壁は共通のフロントエッジ３０から共通のリアエッジ３２まで延在し、エッジの個所で相互に接している。吸入側壁２８の表面、圧力側壁２６の表面およびプラットフォーム表面２０をガスタービンの高圧ガスが流れる。圧力側壁２６および吸入側壁２８は凹状湾曲の第１の丸み付け部３４を介してプラットフォーム１８へ移行している。移行領域である第１の丸み付け部３４はフィレットとも称される。
【００１９】
側壁２６，２８によって包囲される中空室は複数のリブ３６によって複数の部分中空室へ分割されている。各リブ３６は少なくともブレード２４の内部で長手方向１２に沿って延在している。ただし図１ではブレード２４の一部しか示されていない。ブレード２４が翼頂まで続くことは図１では破線によって暗示されている。
【００２０】
図２には、わかりやすくするために、図１のタービン翼１０のＺで囲んだ部分の詳細図が示されている。ただし、フロントエッジ３０またはリアエッジ３２の方向で見て主要な要素のみが示されている。図２には、図１に則して説明した要素、すなわち、プラットフォーム表面２０、圧力側壁２６、吸入側壁２８、プラットフォーム１８、リブ３６および第１の丸み付け部３４が詳細に示されている。
【００２１】
本発明によれば、リブ３６には、第１の丸み付け部３４の高さで、壁の近くに、当該のリブ３６を貫通する開口部４０がブレード２４の長手方向１２に沿って設けられている。壁近くの開口部４０は、図２の実施例では円形をしているが、楕円形であってもよい。開口部４０は、圧力側壁２６の内側４２で、側壁平面４４の広がりをカットしている。これにより、第１の丸み付け部３４付近に、ハッチング領域で示されているような材料低減部４６が生じる。当該の第１の丸み付け部３４付近の材料低減部４６によって、剛性の急激な変化が回避される。これは、第１の丸み付け部３４での重量の増大が、開口部４０が切り欠かれていることによって、少なくとも部分的に補償されるからである。リブ３６に設けられる開口部４０によって、リブ端部４８に、吸入側壁２８と圧力側壁２６とを接続するスタブ５０が形成される。
【００２２】
本発明の作用は当該のスタブ５０を有さないタービン翼１０によっても達成され、こうした実施例が図３に示されている。図３に表されている囲み部分Ｚは図２の囲み部分Ｚに相応するので、共通する要素については詳述しない。図２の要素と同じ要素には図３でも同じ参照番号を付してある。図２の実施例と異なるのは、図３の実施例ではリブ３６に材料によって完全には包囲される開口部４０がなく、プラットフォーム側のリブ端部が、タービン翼１０の長手方向１２で見て、均等な高さを有していない点である。つまり、ここでは開口部４０に代えて切欠が設けられている。リブ３６のうち、吸入側壁２８の直接内側４３に位置する部分は、翼軸の長手方向１２で見て、圧力側壁２５の直接内側４２に位置する部分とは異なる位置に位置している。言い換えれば、プラットフォーム側のリブ端部を見たとき、圧力側壁２６の内側４２のほうが吸入側壁２８の内側４３よりも狭い。これにより、剛性の急激な変化をもたらす不要な材料使用は、少なくとも第１の丸み付け部３４の圧力側壁側の部分で回避される。
【００２３】
プラットフォーム表面２０は仮想のプラットフォーム平面２２のうち中空室の延在する部分である。有利には、プラットフォーム側のリブ端部は、圧力側壁側ではプラットフォーム平面２２の上方すなわち翼頂側に、吸入側壁側ではプラットフォーム平面２２の下方すなわち翼脚側に位置している。リブ端部を反対向きに、つまり、圧力側壁側がプラットフォーム平面の下方に位置し、吸入側壁側がプラットフォーム平面の上方に位置するように配置することもできる。プラットフォーム側のリブ端部の圧力側から吸入側への延在形態は任意に選定でき、延在形態は例えば直線状であってもよいし、図３に示されている実施例のように凹状または凸状であってもよい。本発明の開口部４０または切欠４０を用いることによって生じる空冷システムおよび応力条件への影響に対処するため、有利には、リブ３６から圧力側壁２６および／または吸入側壁２８の内壁４２，４３への移行領域に第２の丸み付け部４１を設け、これにより適合化を行う。ここでの適合化とは、ブレード２４の長手方向１２に沿った種々の位置で、第２の丸み付け部４１の半径Ｒ１，Ｒ２を種々に異ならせることである。ここでは、第１の丸み付け部３４の高さでの第２の丸み付け部４１の半径Ｒ１が、ブレード２４の中程の高さでの第２の丸み付け部４１の半径Ｒ２よりも大きくなっている。
【００２４】
リブ３６がフロントエッジ３０とリアエッジ３２とのあいだの中央領域に配置される場合、開口部４０または切欠４０は圧力側壁側に設けられる。リブ３６がフロントエッジ３０寄りまたはリアエッジ３２寄りに配置される場合、開口部４０または切欠４０は吸入側壁側に配置される。これは、それぞれの領域を高温ガスが通り、材料温度が発生するからである。
【００２５】
圧力側壁２６の内側４２ないし吸入側壁２８の内側４３の開口部４０によって、第１の丸み付け部３４の高さに切欠が形成されるが、この開口部は内壁４２，４３に沿って、リブ３６の領域を超えて、さらに延在することができる。これにより、当該の切欠は、内側では、リブ３６が側壁２６，２８を支持しない移行領域のセクションにも設けられる。この切欠は対応する側壁面に凹状に切り欠かれ、外側の第１の丸み付け部３４のうちリブ３６の配置されていない部分で重量が低減される。こうした切欠は図３に示されているタービン翼においても用いることができる。この場合にも、本発明により応力の低減が達成され、移行領域における亀裂や破断の発生が遅延される。
【００２６】
まとめると、本発明は、中空のブレード２４を有し、中空室内部に少なくとも１つの圧力側壁２６および少なくとも１つの吸入側壁２８を支持するリブ３６が設けられた、定置型ガスタービン用のタービン翼１０に関する。タービン翼１０の耐用期間を延長するために、本発明では、第１の丸み付け部３４の高さで、側壁２６，２８とプラットフォーム表面２０とのあいだの壁の近くに、リブ３６を貫通する開口部４０が設けられる。当該の開口部４０により、移行領域における材料蓄積が少なくとも低減される。こうして、剛性の急激な変化ひいては大きな温度勾配の発生が回避される。
【図１】
2011513623.tif 000003
【図２】
2011513623.tif 000004
【図３】
2011513623.tif 000005
【手続補正書】
【提出日】平成21年12月4日(2009.12.4)
【手続補正１】
【補正対象書類名】特許請求の範囲
【補正対象項目名】全文
【補正方法】変更
【補正の内容】
【特許請求の範囲】
【請求項１】
タービン翼（１０）が固定領域と該固定領域に接続されるプラットフォーム領域（１６）とを有しており、
前記プラットフォーム領域はプラットフォーム表面（２０）を有するプラットフォーム（１８）を含み、
前記プラットフォーム表面には圧力側壁（２６）および吸入側壁（２８）を備えたブレード（２４）が配置されており、該ブレードには断面で見て所定のプロフィルが付けられており、
前記圧力側壁および前記吸入側壁の高温ガスに曝される表面はそれぞれ外側の第１の丸み付け部（３４）を通して前記プラットフォーム表面へ移行しており、
前記ブレードに前記プラットフォーム領域まで延在する少なくとも１つの中空室が設けられており、該中空室内に前記圧力側壁と前記吸入側壁とを接続する少なくとも１つのリブ（３６）が設けられており、該リブは前記ブレードの長手方向（１２）に沿って延在して前記中空室を分割している、
定置型ガスタービン用のタービン翼において、
前記リブでは前記第１の丸み付け部の高さに該リブを貫通する開口部（４０）が設けられており、該開口部は壁近くの外寄りに配置されている
ことを特徴とする定置型ガスタービン用のタービン翼。
【請求項２】
前記開口部は前記吸入側壁および／または前記圧力側壁の内側（４２，４３）に広がる側壁平面（４４）に部分的に接触しているかまたは該側壁平面を部分的にカットしている、請求項１記載の定置型ガスタービン用のタービン翼。
【請求項３】
前記開口部は円形または楕円形である、請求項１または２記載の定置型ガスタービン用のタービン翼。
【請求項４】
タービン翼（１０）が固定領域と該固定領域に接続されるプラットフォーム領域（１６）とを有しており、
前記プラットフォーム領域はプラットフォーム表面（２０）を有するプラットフォーム（１８）を含み、
前記プラットフォーム表面には圧力側壁（２６）および吸入側壁（２８）を備えたブレード（２４）が配置されており、該ブレードには断面で見て所定のプロフィルが付けられており、
前記圧力側壁および前記吸入側壁の高温ガスに曝される表面はそれぞれ外側の第１の丸み付け部（３４）を通して前記プラットフォーム表面へ移行しており、
前記ブレードに前記プラットフォーム領域まで延在する少なくとも１つの中空室が設けられており、該中空室内に前記圧力側壁と前記吸入側壁とを接続する少なくとも１つのリブ（３６）が設けられており、該リブは前記ブレードの長手方向（１２）に沿って延在して前記中空室を分割している、
定置型ガスタービン用のタービン翼において、
前記プラットフォーム側のリブ端部の前記圧力側壁の内側（４２）での長さは前記吸入側壁の内側（４３）での長さとは異なる
ことを特徴とするガスタービン用のタービン翼。
【請求項５】
前記プラットフォーム表面（３０）は仮想のプラットフォーム平面（２２）のうち前記中空室を通って延在する部分であり、前記プラットフォーム側の前記リブ端部が圧力側で前記プラットフォーム平面の一方側に、吸入側で前記プラットフォーム平面の他方側に位置する、請求項４記載の定置型ガスタービン用のタービン翼。
【請求項６】
前記リブは第２の丸み付け部（４１）を介して前記吸入側壁の内側および／または前記圧力側壁の内側へ移行しており、前記第２の丸み付け部の前記プラットフォームの高さでの半径（Ｒ１）と前記ブレードの中程の高さでの半径（Ｒ２）とは異なる、請求項１から５までのいずれか１項記載の定置型ガスタービン用のタービン翼。
【請求項７】
前記第２の丸み付け部は種々異なる半径で切り欠かれているがその端部は滑らかに移行している、請求項６記載の定置型ガスタービン用のタービン翼。
【請求項８】
前記ブレードおよび前記プラットフォームが一体に注入成形されている、請求項１から７までのいずれか１項記載の定置型ガスタービン用のタービン翼。
【手続補正２】
【補正対象書類名】明細書
【補正対象項目名】０００７
【補正方法】変更
【補正の内容】
【０００７】
この課題は、請求項１記載の特徴、すなわち、ブレードに配置された少なくとも１つのリブが外側の第１の丸み付け部の高さに当該のリブを貫通する開口部を有しており、当該の開口部が壁の近くに配置されていることによって解決される。
課題はまた、請求項４記載の特徴、すなわち、プラットフォーム側のリブ端部の圧力側壁の内側での長さが吸入側壁の内側での長さとは異なることによって解決される。
【手続補正３】
【補正対象書類名】明細書
【補正対象項目名】００１５
【補正方法】変更
【補正の内容】
【００１５】
本発明では、プラットフォーム側のリブ端部のうち圧力側壁の内側部分の長さを吸入側壁の内側部分の長さと異ならせることにより、タービン翼の耐用期間を延長することができる。
【手続補正書】
【提出日】平成22年8月30日(2010.8.30)
【手続補正１】
【補正対象書類名】特許請求の範囲
【補正対象項目名】全文
【補正方法】変更
【補正の内容】
【特許請求の範囲】
【請求項１】
タービン翼（１０）が固定領域と該固定領域に接続されるプラットフォーム領域（１６）とを有しており、
前記プラットフォーム領域はプラットフォーム表面（２０）を有するプラットフォーム（１８）を含み、
前記プラットフォーム表面には圧力側壁（２６）および吸入側壁（２８）を備えたブレード（２４）が配置されており、該ブレードには断面で見て所定のプロフィルが付けられており、
前記圧力側壁および前記吸入側壁の高温ガスに曝される表面はそれぞれ外側の第１の丸み付け部（３４）を通して前記プラットフォーム表面へ移行しており、
前記ブレードに前記プラットフォーム領域まで延在する少なくとも１つの中空室が設けられており、該中空室内に前記圧力側壁と前記吸入側壁とを接続する少なくとも１つのリブ（３６）が設けられており、該リブは前記ブレードの長手方向（１２）に沿って延在して前記中空室を分割している、
定置型ガスタービン用のタービン翼において、
前記リブでは前記第１の丸み付け部の高さに該リブを貫通する開口部（４０）が設けられており、該開口部は壁近くの外寄りに配置されている
ことを特徴とする定置型ガスタービン用のタービン翼。
【請求項２】
前記開口部は前記吸入側壁および／または前記圧力側壁の内側（４２，４３）に広がる側壁平面（４４）に部分的に接触しているかまたは該側壁平面を部分的にカットしている、請求項１記載の定置型ガスタービン用のタービン翼。
【請求項３】
前記開口部は円形または楕円形である、請求項１または２記載の定置型ガスタービン用のタービン翼。
【請求項４】
タービン翼（１０）が固定領域と該固定領域に接続されるプラットフォーム領域（１６）とを有しており、
前記プラットフォーム領域はプラットフォーム表面（２０）を有するプラットフォーム（１８）を含み、
前記プラットフォーム表面には圧力側壁（２６）および吸入側壁（２８）を備えたブレード（２４）が配置されており、該ブレードには断面で見て所定のプロフィルが付けられており、
前記圧力側壁および前記吸入側壁の高温ガスに曝される表面はそれぞれ外側の第１の丸み付け部（３４）を通して前記プラットフォーム表面へ移行しており、
前記ブレードに前記プラットフォーム領域まで延在する少なくとも１つの中空室が設けられており、該中空室内に前記圧力側壁と前記吸入側壁とを接続する少なくとも１つのリブ（３６）が設けられており、該リブは前記ブレードの長手方向（１２）に沿って延在して前記中空室を分割している、
定置型ガスタービン用のタービン翼において、
前記第１の丸み付け部の高さにおいて、前記プラットフォーム側のリブ端部の前記圧力側壁の内側（４２）での長さは前記吸入側壁の内側（４３）での長さとは異なる
ことを特徴とするガスタービン用のタービン翼。
【請求項５】
前記プラットフォーム表面（３０）は仮想のプラットフォーム平面（２２）のうち前記中空室を通って延在する部分であり、前記プラットフォーム側の前記リブ端部が圧力側で前記プラットフォーム平面の一方側に、吸入側で前記プラットフォーム平面の他方側に位置する、請求項４記載の定置型ガスタービン用のタービン翼。
【請求項６】
前記リブは第２の丸み付け部（４１）を介して前記吸入側壁の内側および／または前記圧力側壁の内側へ移行しており、前記第２の丸み付け部の前記プラットフォームの高さでの半径（Ｒ１）と前記ブレードの中程の高さでの半径（Ｒ２）とは異なる、請求項１から５までのいずれか１項記載の定置型ガスタービン用のタービン翼。
【請求項７】
前記第２の丸み付け部は種々異なる半径で切り欠かれているがその端部は滑らかに移行している、請求項６記載の定置型ガスタービン用のタービン翼。
【請求項８】
前記ブレードおよび前記プラットフォームが一体に注入成形されている、請求項１から７までのいずれか１項記載の定置型ガスタービン用のタービン翼。
【国際調査報告】
2011513623.tif 000006
2011513623.tif 000007
2011513623.tif 000008
2011513623.tif 000009